(57)【要約】      （修正有）【課題】歩行時や電車乗車時に電車が揺れても，傘の張り布に付着している雨水がズボンや衣服に付着することがない携帯傘掛け具を提供する。【解決手段】ベルト装着部２を断面略逆Ｕ字形状に形成し、該ベルト装着部の一端を延長した端部に傘掛けリング状部３をベルト装着部２に対して略直角状であって外側方向に略水平状態に突設する。さらに、傘掛けリング状部を略水平状態から上方に跳ね上げ自在に形成し、傘掛けリング状部のベルト装着部とは逆側の外周部に一対の突起部７ａ、７ｂを設け、傘掛けリング状部３に傘を掛けた際、傘の中軸側の柄を前記一対の突起部間に保持する如く形成して携帯傘掛け具１を構成する。【選択図】図１
0003163440.tif 000002
【実用新案登録請求の範囲】
【請求項１】
ベルト装着部を断面略逆Ｕ字形状に形成し，該ベルト装着部の一端を延長した端部に傘掛けリング状部をベルト装着部に対して略直角状であって外側方向に略水平状態に突設し，傘掛けリング状部を略水平状態から上方に跳ね上げ自在に形成し，傘掛けリング状部のベルト装着部とは逆側の外周部に一対の突起部を設け，傘掛けリング状部に傘を掛けた際，傘の中軸側の柄を前記一対の突起部間に保持する如く形成したことを特徴とする携帯傘掛け具。
【請求項２】
前記傘掛けリング状部が略円形状であることを特徴とする請求項１記載の携帯傘掛け具。
【請求項３】
前記傘掛けリング状部が多角形状であることを特徴とする請求項１記載の携帯傘掛け具。
【考案の詳細な説明】
【技術分野】
【０００１】
本考案は，衣服のベルト等に着用し，また携帯することができる携帯傘掛け具に関する。
【背景技術】
【０００２】
従来，雨天時に電車に乗車した際，座席に座れず且つ片手で荷物等を持っているときには，もう片方の手で傘を持たなければならず，例えば吊り革につかまりたいときや雑誌等を読みたいときには，逆Ｕ字形状の傘の柄の先端部をズボンのポケットに差し込んでいた。このため，ズボンが傘に付着した雨水で濡れることがあり，またズボンのポケットが傘の重量で変形し，ときには破れることがあるという課題があった。
【０００３】
これを解決するために，歩行用傘持ち器として（イ）挟み部（１）の下部に傘ひも掛け部（２）を設け，（ロ）挟み部（１）の下部に傘の柄掛け部（５）を設けるごとく構成した傘持ち器が提案されている（特許文献１）。
【先行技術文献】
【特許文献】
【０００４】
【特許文献１】実開平７‐１８６７３号公報
【０００５】
しかしながら，特許文献１に係る傘持ち器は，挟み部（１）の下部に傘の柄掛け部（５）が設けられているため，挟み部（１）がズボンや衣服のベルトに装着されているときには傘の柄掛け部（５）に逆Ｕ字形状の傘の柄を掛けると，傘は挟み部（１）の下部に吊り下げられた状態となり，傘の張り布はズボンや衣服に触れた状態になるか極めて近接した状態となる。このため歩行時や電車乗車時に電車が揺れると，張り布に付着している雨水がズボンや衣服に付着するという課題があった。
【考案の概要】
【考案が解決しようとする課題】
【０００６】
本考案が解決しようとする課題は，歩行時や電車乗車時に電車が揺れても，傘の張り布に付着している雨水がズボンや衣服に付着することがない携帯傘掛け具を提供することにある。
【課題を解決するための手段】
【０００７】
請求項１記載の考案は，ベルト装着部を断面略逆Ｕ字形状に形成し，該ベルト装着部の一端を延長した端部に傘掛けリング状部をベルト装着部に対して略直角状であって外側方向に略水平状態に突設し，傘掛けリング状部を略水平状態から上方に跳ね上げ自在に形成し，傘掛けリング状部のベルト装着部とは逆側の外周部に一対の突起部を設け，傘掛けリング状部に傘を掛けた際，傘の中軸側の柄を前記一対の突起部間に保持する如く形成したことを特徴とする携帯傘掛け具を提供する。
【０００８】
請求項２記載の発明は，前記傘掛けリング状部が略円形状であることを特徴とする請求項１記載の携帯傘掛け具を提供する。
【０００９】
請求項３記載の発明は，前記傘掛けリング状部が多角形状であることを特徴とする請求項１記載の携帯傘掛け具を提供する。
【考案の効果】
【００１０】
本考案に係る携帯傘掛け具は，断面略Ｕ字形状のベルト装着部を衣服のベルト等の上部から該ベルトを挟み込むように装着し，傘掛けリング状部が略水平状態にあるときは，傘の柄を該傘掛けリング状部に掛けることができる効果がある。また，外出時に傘を使用している時には，傘掛けリング状部を上方に跳ね上げることができ，歩行時等に該傘掛けリング状部が邪魔になることがないという効果がある。
【００１１】
特に傘が雨で濡れている際には，逆Ｕ字形状をした傘の柄の先端部を傘掛けリング状部の内側に入れ，傘の中軸側の柄を傘掛けリング状部の外周部に設けた一対の突起部の間に保持されるようにして，傘を傘掛けリング状部に掛けることができる。このため濡れた傘の張り布は，本考案の携帯傘掛け具を装着した使用者の身体から傘掛けリング状部の略直径距離，外側に離れることになり，張り布に付着した雨水が使用者の衣服に直接付着することがないという効果がある。
【００１２】
傘が雨で濡れていないときには，傘の中軸側の柄を傘掛けリング状部の外周部に設けた一対の突起部の間以外に位置するように傘を掛ければ，該傘が隣人等の邪魔になることがないという効果がある。
【００１３】
また傘掛けリング状部の突起部には，図５に示すように，折りたたみ傘のストラップを傘掛けリング状部に周回させながら突起部に引っ掛けることができ，折りたたみ傘を本考案の携帯傘掛け具に吊るすことができる効果がある。吊り下げられた折りたたみ傘は，本考案の携帯傘掛け具を装着した使用者の身体から傘掛けリング状部の略直径距離，外側に離れることになり，濡れた折りたたみ傘の張り布に付着した雨水が使用者の衣服に直接付着することがないという効果がある。
【００１４】
さらには，傘掛けリング状部とベルト装着部との接合部分にはバッグや買い物袋等の持ち手を掛けることができる効果がある。
【図面の簡単な説明】
【００１５】
【図１】図１は本考案に係る携帯傘掛け具であって，傘掛けリング状部が略水平状態に保持されている状態を示す状態斜視図である。
【図２】図２は本考案に係る携帯傘掛け具であって，傘掛けリング状部が略垂直状態に跳ね上げられている状態を示す状態斜視図である。
【図３】図３は本考案に係る携帯傘掛け具の分解斜視図である。
【図４】図４は本考案に係る携帯傘掛け具を衣服等のベルトに装着し，傘掛けリング状部に傘の柄を掛けた状態斜視図であって，特に傘の中軸側の柄が傘掛けリング状部の外周部に設けられた一対の突起部間に保持されている状態を示す状態斜視図である。
【図５】図５は本考案に係る携帯傘掛け具を衣服等のベルトに装着し，傘掛けリング状部の突起部に折りたたみ傘のループ状のストラップの先端部を引っ掛けて吊るしている状態を示す状態斜視図である。
【考案を実施するための形態】
【００１６】
次に本発明に係る携帯傘掛け具を実施するための形態について説明する。
図１は，本考案の携帯傘掛け具であって傘掛けリング状部が略水平状態に保持されている状態を示す状態斜視図である。
【００１７】
図１に示すように，本考案に係る携帯傘掛け具１は，主としてベルト装着部２と傘掛けリング状部３と接合ピン４から成る。ベルト装着部２は，巾広で短冊状の矩形部材を１８０度屈曲させることにより断面略逆Ｕ字形状に形成されていて，図４及び図５に示すようにベルト装着部２の略逆Ｕ字間には衣服等のベルトＢが挟みこまれ，ベルト装着部２の屈曲部２ａの内側部分で本携帯傘掛け具１及び傘掛けリング状部３に掛けられた傘Ｕの重量を支えるように成している。
【００１８】
ベルト装着部２の一端は他端より延長されて延長部２ｂと成し，該延長部２ｂの端部２ｃの中央部２ｄは，装着されるベルトから離れる方向の外側に略直角状に曲げられて舌状のリング保持部２ｅと成している。
【００１９】
リング保持部２ｅには図１乃至図３に示すように，接合孔２ｆがベルト装着部２の全巾に亘って穿設され，該接合孔２ｆは接合ピン４が圧入されるように形成されている。
【００２０】
リング保持部２ｅは図３に示すように舌状に突設状態に形成されていて，その両側を傘掛けリング状部３に設けられた一対の回動保持片５，６が挟持するように成っている。
【００２１】
回動保持片５，６は，図３に示すように，略円形状の傘掛けリング状部３の外周部３ａに突設され，回動保持片５及び６で一対と成している。また回動保持片５，６には，リング保持部２ｅを挟持した際，リング保持部２ｅに設けられた接合孔２ｆと重なる位置に挟持孔５ａ，６ａが穿設され，接合ピン４が，挟持孔５ａ，接合孔２ｆ，挟持孔６ａに圧入されることにより，ベルト装着部２と傘掛けリング状部３が一体と成る。
【００２２】
接合ピン４が圧入されてベルト装着部２と傘掛けリング状部３が一体となり，傘掛けリング状部３が略水平状態に保持されている際には，回動保持片５，６の先端部５ｂ，６ｂの上面は，ベルト装着部２の端部２ｃにある水平保持肩部２ｇの下面２ｈに当接し，傘掛けリング状部３に重量のある傘Ｕが掛けられても，傘掛けリング状部３が略水平状態を保持するように成している。
【００２３】
一方，回動保持片５，６の先端部５ｂ，６ｂの下面は自由な状態であるため，傘掛けリング状部３は図１の略水平状態から図２のように垂直状態と成るように接合ピン４を回動軸として上方に跳ね上げることができるように成っている。
【００２４】
なお，傘掛けリング状部３を垂直状態ではなく，垂直状態からわずかに開いた状態とすると，リング保持部２ｅの上面に隙間を形成することができ，該隙間であるところの，ベルト装着部２と傘掛けリング状部３との接合部分にバッグや買い物袋の持ち手部分を入れれば，該バッグや買い物袋の重量を該接合部分で支えて吊り下げることができる。
【００２５】
傘掛けリング状部３の回動保持片５，６と逆側の外周部３ｂには一対の突起部７a，７ｂが突設され，該突起部７ａ，７ｂは図４に示すように傘Ｕの中軸Ｕａ側の柄Ｕｂを保持することが可能な間隔に設けられている。従って該突起部７ａ，７ｂの間に傘Ｕの中軸Ｕａ側の柄Ｕｂを保持させ，傘の柄の先端部Ｕｃを傘掛けリング状部３の内側に入れるようにして，傘Ｕを傘掛けリング状部３に掛けることができる。
【００２６】
このように傘Ｕを傘掛けリング状部３に掛けることによって，傘Ｕの張り布Ｕｄは，本考案の携帯傘掛け具を装着した使用者の身体から傘掛けリング状部３の略直径距離，外側に離れて掛けられることになり，張り布Ｕｄに付着した雨水が使用者の衣服に直接付着することがないという効果がある。
【００２７】
また傘掛けリング状部３には図５に示すように，折りたたみ傘ＶのストラップＶａを傘掛けリング状部３に周回させながら突起部７ａ又は７ｂに引っ掛けて，該折りたたみ傘Ｖを吊るすことができる。吊り下げられた折りたたみ傘Ｖは，本考案の携帯傘掛け具１を装着した使用者の身体から傘掛けリング状部３の略直径距離，離れて掛けられることになり，濡れた折りたたみ傘Ｖの張り布Ｖｂに付着した雨水が使用者の衣服に直接付着することがない。
【００２８】
なお，図１乃至図５に示した本考案の携帯傘掛け具１の傘掛けリング状部３は円形リング形状としたが，楕円形状であっても多角形状であっても良いのは勿論である。
【符号の説明】
【００２９】
１  携帯傘掛け具
２  ベルト装着部
２ａ  屈曲部
２ｂ  延長部
２ｃ  端部
２ｄ  中央部
２ｅ  リング保持部
２ｆ  接合孔
２ｇ  水平保持肩部
２ｈ  下面
３  傘掛けリング状部
３ａ，３ｂ  外周部
４  接合ピン
５，６  回動保持片
５ａ，６ａ  挟持孔
５ｂ，６ｂ  上面
７ａ，７ｂ  突起部
Ｂ  ベルト
Ｕ  傘の中軸側の柄
Ｕａ  中軸
Ｕｂ  柄
Ｕｃ  先端部
Ｕｄ  張り布
Ｖ  折りたたみ傘
Ｖａ  ストラップ
Ｖｂ  張り布
【図１】
0003163440.tif 000003
【図２】
0003163440.tif 000004
【図３】
0003163440.tif 000005
【図４】
0003163440.tif 000006
【図５】
0003163440.tif 000007
【手続補正書】
【提出日】平成22年8月3日(2010.8.3)
【手続補正１】
【補正対象書類名】明細書
【補正対象項目名】０００８
【補正方法】変更
【補正の内容】
【０００８】
請求項２記載の考案は，前記傘掛けリング状部が略円形状であることを特徴とする請求項１記載の携帯傘掛け具を提供する。
【手続補正２】
【補正対象書類名】明細書
【補正対象項目名】０００９
【補正方法】変更
【補正の内容】
【０００９】
請求項３記載の考案は，前記傘掛けリング状部が多角形状であることを特徴とする請求項１記載の携帯傘掛け具を提供する。
【手続補正３】
【補正対象書類名】明細書
【補正対象項目名】００１６
【補正方法】変更
【補正の内容】
【００１６】
次に本考案に係る携帯傘掛け具を実施するための形態について説明する。
図１は，本考案の携帯傘掛け具であって傘掛けリング状部が略水平状態に保持されている状態を示す状態斜視図である。